(57)【要約】      （修正有）【課題】情報表示面の全面を露出させた状態で、情報表示面を所望の高さに調整することができる天板付什器を提供する。【解決手段】上面に作業面２ａを有する天板部２と、天板部２を昇降可能に支持する脚部３と、外方に情報を表示可能な第１情報表示面（情報表示面）４５および第２情報表示面（情報表示面）４６が設けられ第１情報表示面４５または第２情報表示面４６の全面を露出した状態で天板部２とともに昇降可能な情報表示手段４と、を有する。【選択図】図１
2018068939.tif 000002
【特許請求の範囲】
【請求項１】
上面に作業面と有する天板部と、
前記天板部を昇降可能に支持する脚部と、
外方に情報を表示可能な情報表示面が設けられ前記情報表示面の全面を露出した状態で前記天板部とともに昇降可能な情報表示手段と、を有することを特徴とする天板付什器。
【請求項２】
前記情報表示手段は、前記情報表示面が前記作業面で作業する使用者が対向する使用者側と異なる方向を向くように配置されていることを特徴とする請求項１に記載の天板付什器。
【請求項３】
前記情報表示手段は、板状に形成され、両面それぞれに前記情報表示面が形成されていて、前記情報表示面のうちの一方の情報表示面が一の水平方向の一方側を向き他方の情報表示面が前記一の水平方向の他方側を向く第１姿勢、および前記一方の情報表示面が前記一の水平方向の他方側を向き前記他方の情報表示面が前記一の水平方向の一方側を向く第２姿勢に切り替え可能に支持されていることを特徴とする請求項１または２に記載の天板付什器。
【請求項４】
前記情報表示手段は、上側から見て前記天板部の周縁部の内側に配置されていることを特徴とする請求項１乃至３のいずれか一項に記載の天板付什器。
【請求項５】
前記天板部は、互いに水平方向に対向するように配置される第１縁部および第２縁部を有し、
前記情報表示手段は、前記天板部に対して前記第１縁部と前記第２縁部とを結ぶ方向の前記第２縁部に寄った位置に配置されていることを特徴とする請求項１乃至４のいずれか一項に記載の天板付什器。
【請求項６】
前記情報表示手段は、前記天板部の下側に配置されていることを特徴とする請求項１乃至５のいずれか一項に記載の天板付什器。
【発明の詳細な説明】
【技術分野】
【０００１】
本発明は、天板付什器に関する。
【背景技術】
【０００２】
従来、ディスプレイやホワイトボードなどの文字や画像などの情報を表示可能な情報表示面を有する情報表示手段が天板から出没可能に設けられたデスクやテーブルなどの天板付什器が知られている（例えば、特許文献１参照）。このような天板付什器では、天板から突出した情報表示手段に情報を表示しつつ、天板上で作業することができる。
ところで、近年、学校などの教育施設では、指定された座席に着座して講義をうけるだけでなく、デスクや椅子のレイアウトを適宜変更し、生徒同士のディスカッションや情報表示手段による情報の表示を取り入れながら講義を受け、生徒同士のコミュニケーションを促進する手法が提案されている。この手法を採用する場合は、床面を移動可能なデスクや椅子を使用することが好ましい。
【先行技術文献】
【特許文献】
【０００３】
【特許文献１】特公平６−５９２５４号公報
【発明の概要】
【発明が解決しようとする課題】
【０００４】
ところで、情報を表示させる場所や情報の表示対象となる相手に合わせて情報表示面の高さを変えることで、表示させた情報を効果的に掲示することができる。
しかしながら、特許文献１に開示されたような天板付什器は、情報表示手段を最上位置まで上昇させないと、情報表示面の全面を露出させることができず、また、情報表示面の全面を露出した状態で情報表示面の高さを調整することができない構成である。
このため、情報表示面の全面を露出させた状態で、用途や状況に合わせて情報表示面を所望の高さに調整できることが望まれている。
【０００５】
そこで、本発明は、情報表示面の全面を露出させた状態で、情報表示面を所望の高さに調整することができる天板付什器を提供することを目的とする。
【課題を解決するための手段】
【０００６】
上記目的を達成するため、本発明に係る天板付什器は、上面に作業面と有する天板部と、前記天板部を昇降可能に支持する脚部と、外方に情報を表示可能な情報表示面が設けられ前記情報表示面の全面を露出した状態で前記天板部とともに昇降可能な情報表示手段と、を有することを特徴とする。
【０００７】
本発明では、情報表示手段が天板部とともに昇降可能であることにより、天板部を昇降させることで情報表示面を所望の高さに配置することができる。また、情報表示手段は、情報表示面の全面を露出した状態で昇降するため、昇降によって配置可能な所望の高さにおいて情報表示面の全面に表示された情報を掲示することができる。
【０００８】
また、本発明に係る天板付什器では、前記情報表示手段は、前記情報表示面が前記作業面で作業する使用者が対向する使用者側と異なる方向を向くように配置されていてもよい。
このような構成とすることにより、天板付什器の周囲に向かって情報表示手段の情報を掲示することができる。
【０００９】
また、本発明に係る天板付什器では、前記情報表示手段は、板状に形成され、両面それぞれに前記情報表示面が形成されていて、前記情報表示面のうちの一方の情報表示面が一の水平方向の一方側を向き他方の情報表示面が前記一の水平方向の他方側を向く第１姿勢、および前記一方の情報表示面が前記一の水平方向の他方側を向き前記他方の情報表示面が前記一の水平方向の一方側を向く第２姿勢に切り替え可能に支持されていてもよい。
一方の情報表示面に表示された情報と他方の情報表示面に表示された情報とを異なる情報とし、情報表示手段を第１姿勢と第２姿勢とに切り替えることで、両方の情報表示面のそれぞれ表示された情報を一の水平方向の両側に表示することができる。
また、一の水平方向のいずれか一方側のみに情報を表示する場合に、情報表示手段を第１姿勢と第２姿勢とに切り替えることで一方の情報表示面に表示された内容と他方の表示面に表示された内容の両方を掲示することができる。
【００１０】
また、本発明に係る天板付什器では、前記情報表示手段は、上側から見て前記天板部の周縁部の内側に配置されていてもよい。
このような構成とすることにより、天板付什器の周囲にいる使用者が情報表示手段とぶつかったり、天板付什器の周囲に配置された什器や機器などが情報表示手段と接触したりすることを抑制することができる。
【００１１】
また、本発明に係る天板付什器では、前記天板部は、互いに水平方向に対向するように配置される第１縁部および第２縁部を有し、前記情報表示手段は、前記天板部に対して前記第１縁部と前記第２縁部とを結ぶ方向の前記第２縁部に寄った位置に配置されていてもよい。
このような構成とすることにより、使用者が天板部の作業面で作業する際に第１縁部側から天板部の作業面を使用すれば、情報表示手段が使用者から離れた位置に配置されるため、作業面での作業を行いやすくできる。
【００１２】
また、本発明に係る天板付什器では、前記情報表示手段は、前記天板部の下側に配置されていてもよい。
このような構成とすることにより、情報表示手段が天板部の上面の作業面に干渉することがなく、作業面を広く利用することができる。
【発明の効果】
【００１３】
本発明によれば、情報表示面の全面を露出させた状態で、情報表示面を所望の高さに調整することができる。
【図面の簡単な説明】
【００１４】
【図１】本発明の実施形態による天板付什器の一例を奥行方向の奥側かつ幅方向の一方側から見た斜視図である。
【図２】本発明の実施形態による天板付什器の一例を奥行方向の手前側かつ幅方向の一方側から見た斜視図である。
【図３】情報表示手段を外した天板付什器の一例を奥行方向の奥側から見た斜視図である。
【図４】情報表示手段を外した天板付什器の一例を奥行方向の手前側から見た図である。
【図５】情報表示手段を外した天板付什器の一例を幅方向の一方側から見た図である。
【図６】情報表示手段を外した天板付什器の一例を奥行方向の奥側から見た図である。
【図７】天板部が最下位置に配置された天板付什器を示す図である。
【図８】天板部が最上位置に配置された天板付什器を示す図である。
【発明を実施するための形態】
【００１５】
以下、本発明の実施形態による天板付什器について、図１乃至図８に基づいて説明する。
図１および図２に示すように、本実施形態による天板付什器１は、上面に作業面２ａを有する天板部２と、床面１１に支持され天板部２を昇降可能に支持する脚部３と、情報表示面４５，４６を有する情報表示手段４と、情報表示手段４を支持する支持部５（図１参照）と、を有している。
【００１６】
図３乃至図６に示すように、天板部２は、天板本体２１と、天板本体２１の下側に配置され天板本体２１との間に収納部２２を形成する収納トレー２３と、を有している。
天板本体２１は、例えばパーチクルボードなどで平板状に形成され、板面が上下方向を向く向きに配置されている。天板本体２１の上面が作業面２ａを構成している。本実施形態では、天板本体２１の板面は、約６００ｍｍ×約５００ｍｍの略長方形状に形成されている。天板本体２１の板面の略長方形の各辺に対応する４つの縁部のうち、長さが約６００ｍｍとなる対向する２つの縁部を第１縁部２１１および第２縁部２１２とし、長さが約５００ｍｍとなる対向する２つの縁部をそれぞれ第３縁部２１３および第４縁部２１４とする。
【００１７】
本実施形態では、使用者１２が天板付什器１を使用する際には、主に第１縁部２１１に対向して使用すると想定している。天板付什器１において第１縁部２１１および第２縁部２１２が延在する方向を幅方向とし、第３縁部２１３および第４縁部２１４が延在する方向を奥行方向とする。幅方向のうち、第３縁部２１３側を一方側とし、第４縁部２１４側を他方側とする。奥行方向のうち第１縁部２１１側を手前側とし、第２縁部２１２側を奥側とする。
【００１８】
収納トレー２３は、例えば樹脂などで平面視形状（上下方向から見た形状）が天板本体２１よりも小さい幅方向に長い略長方形に形成されている。本実施形態では、収納トレー２３は、幅方向の寸法が約４８０ｍｍ、奥行方向の寸法が約４００ｍｍに設定されている。収納トレー２３は、天板本体２１の鉛直方向下側において天板本体２１の下面２１５に固定されている。具体的には、収納トレー２３の奥行方向の手前側の縁部が天板本体２１の奥行方向の手前側の縁部の下側に配置され、奥行方向の奥側の縁部が天板本体２１の奥行方向の奥側の縁部よりもやや奥行方向の手前側に入った位置の下側に配置されている。また、収納トレー２３の幅方向の一方側の縁部が天板本体２１の幅方向の一方側の縁部よりもやや幅方向の他方側に入った位置の下側に配置され、収納トレー２３の幅方向の他方側の縁部が天板本体２１の幅方向の他方側の縁部よりもやや幅方向の一方側に入った位置の下側に配置されている。
【００１９】
図４乃至図６に示すように、収納トレー２３は、板面が略長方形状に形成され板面が略水平面となるように配置される底板部２３１と、底板部２３１の幅方向の一方側の縁部全体から上側に延びる第１側板部２３２と、底板部２３１の幅方向の他方側の縁部全体から上側に延びる第２側板部２３３と、底板部２３１の奥行方向の奥側の縁部の全体から上側に延びる後板部２３４と、底板部２３１の奥行方向の中間部において幅方向全体にわたって上側に延びる仕切り板部２３５と、を有している。
底板部２３１、第１側板部２３２、第２側板部２３３、後板部２３４、および仕切り板部２３５は、一体に形成されている。
【００２０】
底板部２３１は、天板本体２１の下側に天板本体２１と高さ方向に間隔をあけて配置されている。
第１側板部２３２および第２側板部２３３は、それぞれの奥行方向の奥側の縁部が後板部２３４の幅方向の縁部と連続している。第１側板部２３２、第２側板部２３３および後板部２３４を合せた平面視形状は、奥行方向の手前側に開口する略Ｃ字形状に形成されている。
第１側板部２３２の上縁部には、幅方向の一方側に延びる取付片２３２ａが形成されている。第２側板部２３３の上縁部には、幅方向の他方側に延びる取付片２３３ａが形成されている。後板部２３４の上縁部には、奥行方向の奥側に延びる取付片２３４ａが形成されている。
これらの取付片２３２ａ，２３３ａ，２３４ａが天板本体２１の下面２１５にネジなどの固定具や接着などによって固定されることとで、収納トレー２３が天板本体２１に固定されるように構成されている。
【００２１】
仕切り板部２３５は、板面が奥行方向を向く板状に形成され、幅方向の一方側の縁部が第１側板部２３２と接続され、幅方向の他方側の縁部が第２側板部２３３と接続されている。仕切り板部２３５の上端部は、天板本体２１の下面２１５と当接またはわずかな隙間をあけて近接している。
仕切り板部２３５は、底板部２３１の奥行方向の中央よりも奥行方向の奥側に寄った位置に配置され、後板部２３４と奥行方向に離間している。
【００２２】
天板本体２１、底板部２３１、第１側板部２３２、第２側板部２３３および後板部２３４に囲まれた空間のうちの仕切り板部２３５よりも奥行方向の手前側には、文房具や書籍、機器類などの物品を収納可能な収納部２２が形成され、仕切り板部２３５よりも奥行方向の奥側には、天板本体２１に固定される脚部３の内筒部３２２の上端部近傍が配置される脚部用空部２４が形成されている。
本実施形態では、仕切り板部２３５が天板本体２１の奥行方向の略中央の下側に配置されている。これにより、収納部２２が天板本体２１の奥行方向の略中央よりも手前側に配置され、脚部用空部２４が天板本体２１の奥行方向の略中央よりも奥側に配置されている。
底板部２３１のうちの脚部用空部２４の下側の部分には、幅方向の略中央に脚部３の内筒部３２２が挿通される孔部２３１ａ（図５参照）が形成されている。
【００２３】
本実施形態では、後述する脚部３の昇降機構３２３を操作するための操作レバー３２４（図４および図６参照）が収納トレー２３に支持されている。
操作レバー３２４は、使用者１２が把持して操作する操作部３２４ａと、操作部３２４ａと接続されて昇降機構３２３と連係された軸部（不図示）と、を有している、操作レバー３２４は、使用者１２が操作部３２４ａを把持して軸部を操作することで、昇降機構３２３が操作されるように構成されている。本実施形態では、操作部３２４ａは、天板本体２１の下側で、収納トレー２３の幅方向の一方側に配置されている。軸部は、天板本体２１と収納トレー２３とに挟まれた脚部用空部２４において天板本体２１の下面２１５に沿って操作部３２４ａから内筒部３２２に向かって延び、昇降機構３２３と連係されている。
【００２４】
図５および図６に示すように、支持部５は、収納トレー２３の後板部２３４に連設されていて、後板部２３４の幅方向の略中央となる中間部から奥行方向の奥側に突出している。
支持部５は、後板部２３４と略同じ高さ寸法に形成され後板部２３４と接続される接続部５１と、接続部５１の下端部近傍から奥行方向の奥側に延びる突出部５２と、突出部５２の先端部（奥行方向の奥側の端部）に接続され板面が奥行方向を向く板部５３と、を有している。
板部５３は、板面が幅方向に長い長円状に形成され、高さ方向の中間部が突出部５２の先端部と接続され、突出部５２の上側および下側それぞれに突出している。支持部５は、フック状に形成されている。支持部５は、情報表示手段４の孔部４７（図１参照）に板部５３および突出部５２が挿通されて、情報表示手段４の孔部４７に突出部５２が挿通された状態となると情報表示手段４を吊り支持可能に構成されている。
【００２５】
図３乃至図６に示すように、脚部３は、床面１１に設置されるベース部３１と、ベース部３１から上側に延びて天板部２と接続される支柱部３２と、を有している。
ベース部３１は、支柱部３２が接続される基部３１１と、基部３１１と接続された４本の脚杆３１２〜３１５と、４本の脚杆３１２〜３１５それぞれに取り付けられて床面１１を走行可能なキャスタ３１６，３１６…と、を有している。
【００２６】
基部３１１は、平面視で幅方向に長い略長方形状に形成されている。基部３１１には、幅方向の中央で、かつ奥行方向の中央よりもやや奥側に支柱部３２が上方に延びる支柱部接続部３１１ａが形成されている。ここで、基部３１１の奥行方向における支柱部３２の軸の位置を支柱部立設位置３１１ｂ（図３および図５参照）とする。
【００２７】
基部３１１の上面は、奥行方向の手前側の縁部から支柱部立設位置３１１ｂに向かって漸次上側に向かって傾斜している。また、基部３１１の上面は、奥行方向の奥側の縁部から支柱部立設位置３１１ｂに向かって漸次上側に向かって傾斜している。基部３１１の上面のうち、奥行方向の手前側の縁部から支柱部立設位置３１１ｂまでを第１傾斜面３１１ｃとし、奥行方向の奥側の縁部から支柱部立設位置３１１ｂまでを第２傾斜面３１１ｄとする。第１傾斜面３１１ｃと第２傾斜面３１１ｄとは、連続した面を形成している。
【００２８】
４つの脚杆３１２〜３１５は、平面視における基部３１１の四隅にそれぞれ接続されている。
４つの脚杆３１２〜３１５のうちの基部３１１の幅方向の一方側で奥行方向の手前側に接続された第１脚杆３１２は、基部３１１から奥行方向の手前側に向かって漸次幅方向の一方側に傾斜し、かつ下側に傾斜している。第１脚杆３１２の奥行方向の手前側の端部近傍の下側にキャスタ３１６が取り付けられている。
４つの脚杆３１２〜３１５のうちの基部３１１の幅方向の他方側で奥行方向の手前側に接続された第２脚杆３１３は、基部３１１から奥行方向の手前側に向かって漸次幅方向の他方側に傾斜し、かつ下側に傾斜している。第２脚杆３１３の奥行方向の手前側の端部近傍の下側にキャスタ３１６が取り付けられている。第１脚杆３１２と第２脚杆３１３とは、幅方向に離間している。基部３１１の奥行方向の手前側には、第１脚杆３１２と第２脚杆３１３との間に第１空部３１ａが形成されている。
【００２９】
４つの脚杆３１２〜３１５のうちの基部３１１の幅方向の一方側で奥行方向の奥側に接続された第３脚杆３１４は、基部３１１から奥行方向の奥側に向かって漸次幅方向の一方側に傾斜し、かつ下側に傾斜している。第３脚杆３１４の奥行方向の奥側の端部近傍の下側にキャスタ３１６が取り付けられている。
４つの脚杆３１２〜３１５のうちの基部３１１の幅方向の他方側で奥行方向の奥側に接続された第４脚杆３１５は、基部３１１から奥行方向の奥側に向かって漸次幅方向の他方側に傾斜し、かつ下側に傾斜している。第４脚杆３１５の奥行方向の奥側の端部近傍の下側にキャスタ３１６が取り付けられている。
第３脚杆３１４と第４脚杆３１５とは、幅方向に離間している。基部３１１の奥行方向の奥側には、第３脚杆３１４と第４脚杆３１５との間に第２空部３１ｂが形成されている。
【００３０】
４つの脚杆３１２〜３１５それぞれに設けられたキャスタ３１６，３１６…が床面１１を転動することにより、天板付什器１が床面１１を走行するように構成されている。なお、キャスタ３１６，３１６…には、ロック機構等が適宜設けられている。
【００３１】
第１脚杆３１２および第２脚杆３１３は、第３脚杆３１４および第４脚杆３１５よりも長く形成されている。このため、第１空部３１ａは第２空部３１ｂよりも奥行方向の寸法が大きく形成されている。
第１脚杆３１２および第２脚杆３１３それぞれの上面は、第１傾斜面３１１ｃと連続し、第３脚杆３１４および第４脚杆３１５それぞれの上面は、第２傾斜面３１１ｄと連続している。
本実施形態では、使用者１２が天板付什器１に奥行方向の手前側から対向して天板付什器１で作業する場合に、使用者の足を第１空部３１ａや第１傾斜面３１１ｃの上に置くことが可能に構成されている。
【００３２】
支柱部３２は、上下方向に延在する筒状に形成された外筒部３２１と、上下方向に延在する筒状に形成され外筒部３２１に挿通された内筒部３２２と、内筒部３２２を外筒部３２１に挿通された状態で外筒部３２１に対して昇降させるガススプリングなどの昇降機構３２３と、を有している。
外筒部３２１は、下端部が基部３１１の支柱部接続部３１１ａに固定されている。
内筒部３２２は、上端部が天板部２に固定されている。内筒部３２２の上端部は、天板部２の収納トレー２３の底板部２３１に形成された孔部２３１ａを貫通して、脚部用空部２４において天板本体２１の下面２１５にネジなどの固定具や接着などによって固定されている。支柱部３２は、天板部２に対して天板部２の幅方向の略中央において天板部２の奥行方向の中央よりも奥行方向の奥側に配置されている。
【００３３】
天板付什器１は、昇降機構３２３が操作されて内筒部３２２が外筒部３２１に対して上昇することで内筒部３２２とともに天板部２が上昇し、内筒部３２２が外筒部３２１に対して下降することで内筒部３２２とともに天板部２が下降するように構成されている。
本実施形態では図７に示すように、昇降機構３２３の動作によって天板部２が下降して最下位置に配置されると、天板本体２１の上面（作業面２ａ）が床上約８００ｍｍの高さに配置されるように設定されている。また、本実施形態では図８に示すように、昇降機構３２３の動作によって天板部２が上昇して最上位置に配置されると、天板本体２１の上面（作業面２ａ）が床上約１１００ｍｍの高さに配置されるように設定されている。
なお、天板本体２１の作業面２ａの高さは、操作によって床上約８００ｍｍ〜１１００ｍｍの間の任意の高さに調整することができる。
【００３４】
本実施形態による天板付什器１は、図７に示すように使用者１２が椅子に着座した状態で天板部２の作業面２ａで作業する場合は、天板本体２１の上面の高さを約８００〜９００ｍｍとするように想定され、図８に示すように、使用者１２が床面１１に立った状態で天板部２の作業面２ａで作業する場合は、天板本体２１の上面の高さを約９００〜１１００ｍｍとするように想定されている。
【００３５】
図１および図２に戻り、情報表示手段４は、板状に形成されている。本実施形態では、情報表示手段４は、例えば、板面が約５００ｍｍ×約６００ｍｍの略長方形状に形成されている。情報表示手段４の板面の略長方形の各辺に対応する４つの縁部のうち、長さが約５００ｍｍとなる対向する２つの縁部を第１縁部４１（図１参照）および第２縁部４２とし、長さが約６００ｍｍとなる対向する２つの縁部をそれぞれ第３縁部４３および第４縁部４４とする。
情報表示手段４には、両方の面それぞれに文字などの情報を表示可能な情報表示面４５，４６が形成されている。本実施形態では、情報表示手段４は、両面に情報を記載可能なホワイトボードや黒板などで構成されている。情報表示手段４の一方の面に形成された情報表示面４５を第１情報表示面４５し、他方の面に形成された情報表示面４５を第２情報表示面４６とする。
【００３６】
図１に示すように、情報表示手段４には、第１縁部４１近傍に厚さ方向（板面に直交する方向）に貫通し支持部５を挿通させることができる孔部４７が形成されている。情報表示手段４は、板面が奥行方向を向き、第１縁部４１が鉛直方向の上側、第２縁部４２が鉛直方向の下側となる姿勢で、孔部４７に支持部５を挿通させた状態とすることで、支持部５に吊り支持されるように構成されている。情報表示手段４は、支持部５に対して着脱可能に構成されている。
【００３７】
情報表示手段４は、第１情報表示面４５を奥行方向の奥側に向けて第２情報表示面４６を奥行方向の手前側に向けた第１姿勢、および第１情報表示面４５を奥行方向の手前側に向けて第２情報表示面４６を奥行方向の奥側に向けた第２姿勢のいずれの姿勢であっても支持部５が支持可能に構成されている。情報表示手段４は、第１情報表示面４５の情報を掲示する場合には第１姿勢とし、第２情報表示面４６の情報を掲示する場合には第２姿勢とする。
【００３８】
情報表示手段４は、孔部４７に支持部５の板部５３および突出部５２が挿通されて、情報表示手段４の孔部４７に突出部５２が挿通された状態となると支持部５に吊り支持される。このとき、支持部５の板部５３が情報表示手段４の奥行方向の奥側に配置されるため、情報表示手段４が支持部５から意図せずに外れることが防止される。
【００３９】
図７および図８に示すように、情報表示手段４は、支持部５に吊り支持されると板面が略鉛直面となり、上端部（第１縁部４１）が天板本体２１の上面から約５０ｍｍ下側において天板本体２１の第２縁部２１２近傍に第２縁部２１２に沿うように配置される。
図７に示すように情報表示手段４が第１姿勢で支持部５に吊り支持された状態において、天板本体２１の上面（作業面２ａ）の高さが約８００ｍｍとなると、情報表示手段４は第１情報表示面４５の全面が奥行方向の奥側に露出した状態で、床上約１５０ｍｍ〜７５０ｍｍの高さに配置される。なお、第２情報表示面４６は、第１情報表示面４５と同じ高さにおいて奥行方向の手前側を向いているが、脚部３の支柱部３２によって一部が隠れた状態となる。
【００４０】
また、図８に示すように情報表示手段４が支持部５に吊り支持された状態において、天板本体２１の上面の高さが約１１００ｍｍとなると、情報表示手段４は第１情報表示面４５の全面が奥行方向の奥側に露出した状態で、床上約４５０ｍｍ〜１０５０ｍｍの高さに配置される。この場合も、第２情報表示面４６は、第１情報表示面４５と同じ高さにおいて奥行方向の手前側を向いているが、脚部３の支柱部３２によって一部が隠れた状態となる。
なお、天板本体２１の上面の高さは、操作によって床上約８００ｍｍ〜１１００ｍｍの間の任意の高さに調整することができるため、情報表示手段４の高さも上縁部が床上約７５０ｍｍ〜１０５０ｍｍの間の任意の高さとなるように配置することができる。
また、情報表示手段４は、支持部５に対して着脱可能に構成されているため、第１姿勢の情報表示手段４を支持部５から取り外し、第２姿勢となるように再度支持部５に取り付けることができる。
【００４１】
次に、上述した本実施形態による天板付什器１の作用・効果について図面を用いて説明する。
本実施形態による天板付什器１では、情報表示手段４が天板部２とともに昇降可能であることにより、天板部２を昇降させることで第１情報表示面４５および第２情報表示面４６を所望の高さに配置することができる。また、情報表示手段４は、第１情報表示面４５または第２情報表示面４６の全面を露出した状態で昇降するため、昇降によって配置可能な所望の高さにおいて第１情報表示面４５または第２情報表示面４６の全面に表示された情報を掲示することができる。
【００４２】
また、情報表示手段４は、板状に形成され両面に形成された第１情報表示面４５および第２情報表示面４６を有することにより、第１情報表示面に表示された情報と第２表示面に表示された情報とを異なる情報として、情報表示手段４を第１姿勢と第２姿勢とに切り替えることで第１情報表示面４５および第２情報表示面４６のそれぞれ表示された情報を奥行方向の奥側に向かって表示することができる。
【００４３】
また、情報表示手段４は、上側から見て天板部２の周縁部の内側に配置されていることにより、天板付什器１の周囲にいる使用者が情報表示手段４とぶつかったり、天板付什器１の周囲に配置された什器や機器などが情報表示手段４と接触したりすることを抑制することができる。
また、情報表示手段４は、天板部２に対して奥行方向の奥側に配置されていることにより、使用者が奥行方向の手前側から天板部２の作業面２ａで作業する際に、情報表示手段４が使用者から離れた位置に配置されるため、作業を行いやすくできる。
また、情報表示手段４は、天板部２の下側に配置されていることにより、情報表示手段４が天板部２の作業面２ａに干渉することがなく、作業面２ａを広く利用することができる。
【００４４】
以上、本発明による天板付什器の実施形態について説明したが、本発明は上記の実施形態に限定されるものではなく、その趣旨を逸脱しない範囲で適宜変更可能である。
例えば、上記の実施形態では、情報表示手段４の両面に情報表示面４５，４６が形成されているが、いずれか一方の面に情報表示面４５が形成されていてもよい。
また、上記の実施形態では、情報表示手段４は、両面に情報を記載可能な情報表示面４５，４６を有するホワイトボードや黒板などで構成されているが、コンピュータなどの機器から出力された静止画や動画などの情報を表示可能な板状のディスプレイ等で構成されていてもよい。
【００４５】
また、上記の実施形態では、情報表示手段４は、天板部２に着脱可能に構成されているが、天板部２に固定されていてもよい。
また、上記の実施形態では、情報表示手段４を支持する支持部５がフック状に形成されているが、フック状以外に形成されていてもよい。例えば、支持部５は、情報表示手段４を天板部２に固定するためのマグネットや面ファスナー、クリップなどで構成されていてもよい。
また、上記の実施形態では、支持部５は収納トレー２３に固定されているが、天板部２とともに昇降可能であれば、例えば天板本体２１や内筒部３２２に支持された部材などの収納トレー２３以外に固定されていてもよい。
また、上記の実施形態では、情報表示手段４は板状に形成されているが、情報を表示可能な情報表示面が形成されていれば、板状以外に形成されていてもよい。
【００４６】
また、上記の実施形態では、情報表示手段４は、上側から見て天板部２の周縁部の内側に配置されているが、上側から見て天板部２の周縁部の外側に配置されていてもよい。
また、上記の実施形態では、情報表示手段４は、天板部２に対して奥行方向の奥側に配置されているが、奥行方向の手前側に配置されていてもよい。
また、上記の実施形態では、機能部材４は、天板本体２１の第２縁部２１２に沿って配置可能に構成されているが、天板本体２１の第１〜第４縁部２１４のいずれか１つ以上に沿って配置可能に構成されていてもよい。
また、上記の実施形態では、情報表示手段４は、天板部２の下側に配置されているが、天板部２の上側に配置されていてもよいし、上部側が天板部２の上側に配置され、下部側が天板部２の下側に配置されていてもよい。
また、情報表示手段４の情報表示面が向く方向は適宜設定されてよい。
【００４７】
また、上記の実施形態では、天板付什器１は、脚部３にキャスタ３１６，３１６…が設けられていて床面１１を走行可能に構成されているが、キャスタ３１６，３１６…等の走行手段が設けられておらず、床面１１を走行しないように構成されていてもよい。
また、上記の実施形態では、脚部３のベース部３１は、基部３１１および４つの脚杆３１２〜３１５を有する形状であるが、他の形状であってもよい。また、基部３１１の上面の形状は、上記以外であってもよい。
【００４８】
また、上記の実施形態では、天板部２は、収納トレー２３を有し収納部２２が形成されているが、収納部２２が形成されずに天板本体２１のみで構成されていてもよい。また、天板部に収納が設けられている場合は、収納の形状は適宜設定されてよい。また、脚部３に支持された収納が設けられていてもよい。
また、上記の実施形態では、支柱部３２の昇降機構３２３はガススプリングを利用した自動式の形態であるが、ガススプリングに代わってラチェット機構を利用した手動式の形態であってもよい。
また、上記の実施形態では、１つの支柱部３２で天板部２を支持しているが、２以上の支柱部３２で天板部２を支持してもよい。
また、上記の実施形態では、機能部材４は、支持部５に支持されると上端部が天板部２の作業面２ａよりも下側に配置されているが、上端部が作業面２ａと同じ高さや、作用面２ａよりも上側に配置されていてもよい。
また、上記の実施形態では、各部材の寸法を一例として示しているが、各部材の寸法や形状は適宜設定されてよい。
【符号の説明】
【００４９】
１  天板付什器
２  天板部
３  脚部
４  情報表示手段
５  支持部
１１  床面
１２  使用者
２１  天板本体
４５  第１情報表示面（情報表示面）
４６  第２情報表示面（情報表示面）
２１１  第１縁部
２１２  第２縁部
【図１】
2018068939.tif 000003
【図２】
2018068939.tif 000004
【図３】
2018068939.tif 000005
【図４】
2018068939.tif 000006
【図５】
2018068939.tif 000007
【図６】
2018068939.tif 000008
【図７】
2018068939.tif 000009
【図８】
2018068939.tif 000010